(57)【特許請求の範囲】
【請求項１】
ＣＭ（Commercial Message）のコンテンツデータであって、通信網、または、可搬型の記憶媒体を伝達媒体として、複数の放送局各々に搬入されるＣＭ素材が、前記放送局各々に搬入されているか否かを確認するためのシステムであって、
配信データ管理装置と、前記放送局各々に備えられる複数の入稿サーバと、を有し、
前記配信データ管理装置は、
前記ＣＭ素材各々を識別するための素材情報各々に、各放送局への前記ＣＭ素材の搬入状態を示す情報を関連付けて管理する素材管理データベースを記憶する素材管理データベース記憶手段と、
通信網を伝達媒体として、前記入稿サーバ各々に前記ＣＭ素材を送信するＣＭ素材送信手段と、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段と、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段と、
前記第１搬入情報、および、前記第２搬入情報に基づいて、前記素材管理データベースを更新する更新手段と、
を有し、
前記入稿サーバは、
前記ＣＭ素材送信手段が送信した前記ＣＭ素材を受信するＣＭ素材受信手段と、
前記ＣＭ素材受信手段が受信した前記ＣＭ素材を記憶するＣＭ素材記憶手段と、
可搬型の記憶媒体で前記ＣＭ素材が前記放送局へ搬入された場合、搬入された前記ＣＭ素材の前記素材情報の入力を受付ける搬入情報入力受付手段と、
前記搬入情報入力受付手段が入力を受付けた前記素材情報、及び、当該ＣＭ素材が当該放送局に搬入されたことを示す情報を含む第２搬入情報を、前記第２搬入情報取得手段に送信する搬入情報送信手段と、
を有するＣＭ素材在局管理システム。
【請求項２】
請求項１に記載のＣＭ素材在局管理システムにおいて、
前記搬入情報入力受付手段は、前記ＣＭ素材を記憶し、かつ、当該ＣＭ素材の前記素材情報を記憶しないテープ媒体で、前記ＣＭ素材が前記放送局へ搬入された場合、ユーザが手入力した当該ＣＭ素材の前記素材情報の入力を受付けるテープ媒体情報受付手段を有するＣＭ素材在局管理システム。
【請求項３】
請求項２に記載のＣＭ素材在局管理システムにおいて、
前記テープ媒体情報受付手段は、前記テープ媒体で前記放送局へ搬入された前記ＣＭ素材が、当該放送局から搬入元に返却された場合、ユーザが手入力した当該ＣＭ素材の前記素材情報、及び、当該ＣＭ素材が当該放送局から返却されたことを示す情報を含むＣＭ素材返却情報の入力を受付け、
前記搬入情報送信手段は、前記ＣＭ素材返却情報を前記配信データ管理装置に送信し、
前記配信データ管理装置は、前記搬入情報送信手段から前記ＣＭ素材返却情報を取得する返却情報取得手段をさらに有し、
前記更新手段は、前記ＣＭ素材返却情報に基づいて、前記素材管理データベースを更新するＣＭ素材在局管理システム。
【請求項４】
請求項２または３に記載のＣＭ素材在局管理システムにおいて、
前記テープ媒体情報受付手段は、各放送局が有する営業放送システムを介して、前記テープ媒体で前記放送局へ搬入された前記ＣＭ素材の搬入状態に関する情報の入力を受付けるＣＭ素材在局管理システム。
【請求項５】
請求項１から４のいずれか１項に記載のＣＭ素材在局管理システムにおいて、
前記搬入情報入力受付手段は、前記ＣＭ素材、及び、当該ＣＭ素材の前記素材情報を記憶するファイルベース媒体で、前記ＣＭ素材が前記放送局へ搬入された場合、前記ファイルベース媒体に記憶されている当該ＣＭ素材、及び、当該ＣＭ素材の前記素材情報を、前記ファイルベース媒体から取得するファイルベース媒体情報受付手段を有し、
前記ＣＭ素材記憶手段は、前記ファイルベース媒体情報受付手段が受付けた前記ＣＭ素材をさらに記憶するＣＭ素材在局管理システム。
【請求項６】
請求項５に記載のＣＭ素材在局管理システムにおいて、
前記入稿サーバは、
前記ＣＭ素材記憶手段が記憶する前記ＣＭ素材を削除するＣＭ素材削除手段と、
前記ＣＭ素材削除手段が前記ＣＭ素材を前記ＣＭ素材記憶手段から削除すると、削除した前記ＣＭ素材の前記素材情報、及び、当該ＣＭ素材を当該放送局の前記ＣＭ素材記憶手段から削除したことを示す情報を含むＣＭ素材削除情報を取得するＣＭ素材削除情報取得手段と、をさらに有し、
前記搬入情報送信手段は、前記ＣＭ素材削除情報を、前記配信データ管理装置に送信し、
前記配信データ管理装置は、前記搬入情報送信手段から前記ＣＭ素材削除情報を取得する削除情報取得手段をさらに有し、
前記更新手段は、前記ＣＭ素材削除情報に基づいて、前記素材管理データベースを更新するＣＭ素材在局管理システム。
【請求項７】
請求項１から６のいずれか１項に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されている場合には、当該第２搬入情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該第２搬入情報に基づいて更新するＣＭ素材在局管理システム。
【請求項８】
請求項１から７のいずれか１項に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されている場合には、当該第２搬入情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該第２搬入情報に含まれる当該素材情報に関連付けられた情報を前記素材管理データベースに登録するＣＭ素材在局管理システム。
【請求項９】
請求項１から８のいずれか１項に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されていない場合には、当該第２搬入情報に含まれる前記素材情報に、各放送局への搬入状態を関連付けて前記素材管理データベースに新たに登録するＣＭ素材在局管理システム。
【請求項１０】
請求項１から９のいずれか１項に記載のＣＭ素材在局管理システムにおいて、
前記入稿サーバは、前記ＣＭ素材の前記素材情報、及び、当該素材情報で特定される前記ＣＭ素材が前記放送局に搬入されることを示す情報を含む営業情報を、当該ＣＭ素材が前記放送局に搬入される前に取得する営業情報取得手段をさらに有し、
搬入情報送信手段は、前記営業情報取得手段が取得した前記営業情報に含まれる前記素材情報で特定される前記ＣＭ素材が、当該放送局に搬入されることを示す搬入予告情報を、前記配信データ管理装置に送信し、
前記配信データ管理装置は、前記搬入予告情報を取得する搬入予告情報取得手段をさらに有し、
前記更新手段は、前記搬入予告情報に基づいて、前記素材管理データベースを更新するＣＭ素材在局管理システム。
【請求項１１】
請求項１０に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されている場合には、当該搬入予告情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該搬入予告情報に基づいて更新するＣＭ素材在局管理システム。
【請求項１２】
請求項１０または１１に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されている場合には、当該搬入予告情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該搬入予告情報に含まれる当該素材情報に関連付けられた情報を前記素材管理データベースに登録するＣＭ素材在局管理システム。
【請求項１３】
請求項１０から１２のいずれか１項に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されていない場合には、当該搬入予告情報に含まれる前記素材情報に、各放送局への搬入状態を関連付けて前記素材管理データベースに新たに登録するＣＭ素材在局管理システム。
【請求項１４】
請求項１３に記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されている場合には、当該第１搬入情報または当該第２搬入情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該第１搬入情報または当該第２搬入情報に基づいて更新するＣＭ素材在局管理システム。
【請求項１５】
請求項１３または１４に記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されている場合には、当該第１搬入情報または当該第２搬入情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該第１搬入情報または当該第２搬入情報に含まれる当該素材情報に関連付けられた情報を前記素材管理データベースに登録するＣＭ素材在局管理システム。
【請求項１６】
請求項１３から１５のいずれか１項に記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されていない場合には、当該第１搬入情報または当該第２搬入情報に含まれる前記素材情報に、各放送局への搬入状態を関連付けて前記素材管理データベースに新たに登録するＣＭ素材在局管理システム。
【請求項１７】
請求項１から１６のいずれか１項に記載の配信データ管理装置。
【請求項１８】
請求項３、請求項３に従属する請求項４、請求項３に従属する請求項５、請求項６、請求項３又は６に従属する請求項７、請求項３又は６に従属する請求項８、請求項３又は６に従属する請求項９、請求項１０、請求項１１、請求項１２、請求項１３、請求項１４、請求項１５、又は、請求項１６に記載の入稿サーバ。
【請求項１９】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
前記ＣＭ素材各々を識別するための素材情報各々に、各放送局への前記ＣＭ素材の搬入状態を示す情報を関連付けて管理する素材管理データベースを記憶する素材管理データベース記憶手段、
通信網を伝達媒体として、前記放送局各々に備えられる入稿サーバ各々に前記ＣＭ素材を送信するＣＭ素材送信手段、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段、
前記第１搬入情報、および、前記第２搬入情報に基づいて、前記素材管理データベースを更新する更新手段、
として機能させるためのプログラム。
【請求項２０】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
として機能させ、
前記搬入情報入力受付手段は、前記ＣＭ素材を記憶し、かつ、当該ＣＭ素材の前記素材情報を記憶しないテープ媒体で、前記ＣＭ素材が前記放送局へ搬入された場合、ユーザが手入力した当該ＣＭ素材の前記素材情報の入力を受付けるテープ媒体情報受付手段として機能し、
前記テープ媒体情報受付手段は、前記テープ媒体で前記放送局へ搬入された前記ＣＭ素材が、当該放送局から搬入元に返却された場合、ユーザが手入力した当該ＣＭ素材の前記素材情報、及び、当該ＣＭ素材が当該放送局から返却されたことを示す情報を含むＣＭ素材返却情報の入力を受付け、
前記搬入情報送信手段は、前記ＣＭ素材返却情報を前記配信データ管理装置に送信するプログラム。
【請求項２１】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
として機能させ、
前記搬入情報入力受付手段は、前記ＣＭ素材、及び、当該ＣＭ素材の前記素材情報を記憶するファイルベース媒体で、前記ＣＭ素材が前記放送局へ搬入された場合、前記ファイルベース媒体に記憶されている当該ＣＭ素材、及び、当該ＣＭ素材の前記素材情報を、前記ファイルベース媒体から取得するファイルベース媒体情報受付手段として機能し、
前記コンピュータを、
前記ファイルベース媒体情報受付手段が受付けた前記ＣＭ素材を記憶するＣＭ素材記憶手段、
前記ＣＭ素材記憶手段が記憶する前記ＣＭ素材を削除するＣＭ素材削除手段、
前記ＣＭ素材削除手段が前記ＣＭ素材を前記ＣＭ素材記憶手段から削除すると、削除した前記ＣＭ素材の前記素材情報、及び、当該ＣＭ素材を当該放送局の前記ＣＭ素材記憶手段から削除したことを示す情報を含むＣＭ素材削除情報を取得するＣＭ素材削除情報取得手段、
としてさらに機能させ、
前記搬入情報送信手段は、前記ＣＭ素材削除情報を、前記配信データ管理装置に送信するプログラム。
【請求項２２】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
前記ＣＭ素材の前記素材情報、及び、当該素材情報で特定される前記ＣＭ素材が前記放送局に搬入されることを示す情報を含む営業情報を、当該ＣＭ素材が前記放送局に搬入される前に取得する営業情報取得手段、
として機能させ、
前記搬入情報送信手段は、前記営業情報取得手段が取得した前記営業情報に含まれる前記素材情報で特定される前記ＣＭ素材が、当該放送局に搬入されることを示す搬入予告情報を、前記配信データ管理装置に送信するプログラム。
【発明の詳細な説明】
【技術分野】
【０００１】
本発明は、ＣＭ素材在局管理システム及びプログラムに関する。
【背景技術】
【０００２】
テレビやラジオなどで放送されるＣＭ（Commercial Message）は、制作を担当する広告会社（制作担当）の下で制作され、当該広告会社（制作担当）から放送局に搬入される。そして、放送局は、ＣＭの扱いを担当する広告会社（扱い担当）が指定したスケジュール等に従い、搬入されたＣＭを放送する。なお、あるＣＭの制作を担当した広告会社（制作担当）と、そのＣＭの扱いを担当する広告会社（扱い担当）が異なる場合がある。
【０００３】
ところで、ＣＭのコンテンツデータ（以下、「ＣＭ素材」という）を広告会社（制作担当）から放送局に搬入する手段（伝達媒体）としては、テープ媒体がもっぱら用いられていた。そして、放送局に搬入されたテープ媒体は、例えば棚等に保管されていた。
【０００４】
特許文献１には、音声放送の少なくとも音声データが梱包された同梱ファイルに、該同梱ファイルが送稿されて該同梱ファイルを利用する側の利便を考慮した付加情報を付加する付加手段と、前記付加情報が付加された同梱ファイルを通信ネットワークを介して送稿する送稿手段と、を備えている送稿装置が開示されている。
【先行技術文献】
【特許文献】
【０００５】
【特許文献１】特開２００２−１５２１５７号公報
【発明の概要】
【発明が解決しようとする課題】
【０００６】
例えば扱いを担当する広告会社（扱い担当）の担当者が、あるＣＭ素材がある放送局に搬入されているか否か（在局か否か）を確認（在局確認）する際、電話、メール、ＦＡＸ等でその放送局の担当者に問い合わせる必要がある。このような手順は作業効率が悪く、手間である。
【０００７】
また、近年、ＣＭ素材を広告会社（制作担当）から放送局に搬入する手段（伝達媒体）として光ディスクやフラッシュメモリ等を用い、当該伝達媒体にＣＭ素材のみならず当該ＣＭ素材の関連情報（ＣＭのタイトル名、コード等）をも記憶し、搬入する手段が利用され始めている（以下、このような伝達媒体を、「ファイルベース媒体」という）。さらに、インターネット等の通信網を利用して、ＣＭ素材、及び、当該ＣＭ素材の関連情報を搬入する手段も検討され始めている。これらの手段で搬入されたＣＭ素材は、作業効率向上等のため、例えば、各放送局が備えるサーバ等のコンピュータで管理されると考えられる。
【０００８】
かかる場合、放送局は、テープ媒体で搬入されたＣＭ素材を棚等で保管するとともに、ファイルベース媒体や通信網を介して搬入されたＣＭ素材をサーバ等のコンピュータで保管することとなる。すなわち、放送局は、複数の手段でＣＭ素材を保管することとなる。
【０００９】
あるＣＭ素材が搬入されているか否かの問合せを受けた放送局の担当者は、当該ＣＭ素材が搬入されているか否かを確認することとなるが、このように複数の手段でＣＭ素材が保管されている状態の中で、あるＣＭ素材が保管されているか否かを確認する作業は面倒であり、作業効率は著しく悪くなる。
【００１０】
そこで、本発明は、あるＣＭ素材がある放送局に搬入されているか否かを効率的に確認することができる技術を提供することを課題とする。
【課題を解決するための手段】
【００１１】
本発明によれば、
ＣＭのコンテンツデータであって、通信網、または、可搬型の記憶媒体を伝達媒体として、複数の放送局各々に搬入されるＣＭ素材が、前記放送局各々に搬入されているか否かを確認するためのシステムであって、
配信データ管理装置と、前記放送局各々に備えられる複数の入稿サーバと、を有し、
前記配信データ管理装置は、
前記ＣＭ素材各々を識別するための素材情報各々に、各放送局への前記ＣＭ素材の搬入状態を示す情報を関連付けて管理する素材管理データベースを記憶する素材管理データベース記憶手段と、
通信網を伝達媒体として、前記入稿サーバ各々に前記ＣＭ素材を送信するＣＭ素材送信手段と、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段と、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段と、
前記第１搬入情報、および、前記第２搬入情報に基づいて、前記素材管理データベースを更新する更新手段と、
を有し、
前記入稿サーバは、
前記ＣＭ素材送信手段が送信した前記ＣＭ素材を受信するＣＭ素材受信手段と、
前記ＣＭ素材受信手段が受信した前記ＣＭ素材を記憶するＣＭ素材記憶手段と、
可搬型の記憶媒体で前記ＣＭ素材が前記放送局へ搬入された場合、搬入された前記ＣＭ素材の前記素材情報の入力を受付ける搬入情報入力受付手段と、
前記搬入情報入力受付手段が入力を受付けた前記素材情報、及び、当該ＣＭ素材が当該放送局に搬入されたことを示す情報を含む第２搬入情報を、前記第２搬入情報取得手段に送信する搬入情報送信手段と、
を有するＣＭ素材在局管理システムが提供される。
【００１２】
また、本発明によれば、上記配信データ管理装置が提供される。
【００１３】
また、本発明によれば、上記入稿サーバが提供される。
【００１４】
また、本発明によれば、
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
前記ＣＭ素材各々を識別するための素材情報各々に、各放送局への前記ＣＭ素材の搬入状態を示す情報を関連付けて管理する素材管理データベースを記憶する素材管理データベース記憶手段、
通信網を伝達媒体として、前記放送局各々に備えられる入稿サーバ各々に前記ＣＭ素材を送信するＣＭ素材送信手段、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段、
前記第１搬入情報、および、前記第２搬入情報に基づいて、前記素材管理データベースを更新する更新手段、
として機能させるためのプログラムが提供される。
【００１５】
また、本発明によれば、
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の前記素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
として機能させるためのプログラムが提供される。
【発明の効果】
【００１６】
本発明によれば、あるＣＭ素材がある放送局に搬入されているか否かを効率的に確認することができる。
【図面の簡単な説明】
【００１７】
【図１】本実施形態のＣＭ素材在局管理システムの全体像を説明するための図である。
【図２】本実施形態のＣＭ素材在局管理システムの機能ブロック図の一例である。
【図３】本実施形態の素材情報の構成の一例である。
【図４】本実施形態の第１搬入情報の構成の一例である。
【図５】本実施形態の第２搬入情報の構成の一例である。
【図６】本実施形態の素材管理データの構成の一例である。
【図７】本実施形態の更新部による更新処理の流れの一例を示すフローチャートである。
【図８】本実施形態のＣＭ素材在局管理システムの機能ブロック図の一例である。
【図９】本実施形態のＣＭ素材返却情報の構成の一例である。
【図１０】本実施形態の素材管理データの構成の一例である。
【図１１】本実施形態のＣＭ素材在局管理システムの機能ブロック図の一例である。
【図１２】本実施形態のＣＭ素材削除情報の構成の一例である。
【図１３】本実施形態の素材管理データの構成の一例である。
【図１４】本実施形態の素材情報の構成の一例である。
【図１５】本実施形態の更新部による更新処理の流れの一例を示すフローチャートである。
【図１６】本実施形態の素材管理データの構成の一例である。
【図１７】本実施形態のＣＭ素材在局管理システムの機能ブロック図の一例である。
【図１８】本実施形態の営業情報の構成の一例である。
【図１９】本実施形態の搬入予告情報の構成の一例である。
【図２０】本実施形態の素材管理データの構成の一例である。
【図２１】本実施形態の素材管理データの構成の一例である。
【発明を実施するための形態】
【００１８】
以下、本発明の実施の形態について図面を用いて説明する。
【００１９】
なお、本実施形態のシステム、装置及びサーバは、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００２０】
また、本実施形態の説明において利用する機能ブロック図は、ハードウェア単位の構成ではなく、機能単位のブロックを示している。これらの図においては、各サーバ、各装置は１つの機器により実現されるよう記載されているが、その実現手段はこれに限定されない。すなわち、物理的に分かれた構成であっても、論理的に分かれた構成であっても構わない。
【００２１】
＜＜第１の実施形態＞＞
まず、本実施形態の概要を説明する。
【００２２】
図１は、本実施形態のシステムの全体像を説明するための図である。本実施形態では、広告会社（制作担当）３及び４で制作されたＣＭ素材は、ネットワーク等の通信網、又は、可搬型の記憶媒体を伝達媒体として、複数の放送局１及び２各々に搬入される。なお、あるＣＭ素材が一部の放送局のみに搬入される場合もある。
【００２３】
例えば、広告会社（制作担当）３で制作されたＣＭ素材は、当該ＣＭ素材を識別するための素材情報とともに、通信網を介して、配信データ管理装置１０を経由し、放送局１及び２各々に搬入される。搬入されたＣＭ素材は、放送局１及び２各々が備える入稿サーバ２０Ａ及び２０Ｂで保管される。
【００２４】
一方、広告会社（制作担当）４で制作されたＣＭ素材は、テープ媒体やファイルベース媒体等の可搬型記憶媒体を利用して、放送局１及び２各々に搬入される。テープ媒体で搬入されたＣＭ素材は、当該テープ媒体に記憶された状態で、棚等に保管される。一方、ファイルベース媒体で搬入されたＣＭ素材は、入稿サーバ２０Ａ及び２０Ｂに入力され、当該サーバで保管される。
【００２５】
ここでは、説明を簡単にするため、広告会社（制作担当）３は通信網のみを利用してＣＭ素材を搬入し、広告会社（制作担当）４は可搬型記憶媒体のみを利用してＣＭ素材を搬入するものとしているが、例えば、広告会社（制作担当）３及び４が通信網及び可搬型記憶媒体の両方を利用することもできる。また、広告会社の数や放送局の数は、図示するものに限定されない。
【００２６】
ここで、本実施形態では、図示する配信データ管理装置１０が素材管理データベースを保持している。素材管理データベースは、複数の広告会社（制作担当）３及び４で制作された複数のＣＭ素材各々を識別するための素材情報各々に、各放送局への搬入状態を示す情報を関連付けて管理するデータベースである。本実施形態では、当該素材管理データベースを利用することで、複数の広告会社（制作担当）３及び４で制作された複数のＣＭ素材各々が、複数の放送局１及び２各々に搬入されているか否かを確認することができる。
【００２７】
なお、素材管理データベースを更新する処理の概要は以下の通りである。
【００２８】
まず、広告会社（制作担当）３で制作されたＣＭ素材が、通信網を介して、配信データ管理装置１０を経由し、放送局１及び２各々に搬入された場合、配信データ管理装置１０は、自装置で実行したＣＭ素材を放送局１及び２に送信する処理に基づいて、素材管理データベースを更新する。例えば、配信データ管理装置１０は、広告会社（制作担当）３から受信したあるＣＭ素材を放送局１に送信する処理を実行すると、当該送信処理をトリガにして、当該ＣＭ素材が放送局１に搬入されたことを示す情報を素材管理データベースに登録する。
【００２９】
一方、広告会社（制作担当）４で制作されたＣＭ素材が、テープ媒体で放送局１及び２各々に搬入された場合は、例えば放送局１及び２各々の担当者が、各放送局に備えられた営業放送システム３０Ａ及び３０Ｂに、搬入されたＣＭ素材の素材情報を入力する。すると、営業放送システム３０Ａ及び３０Ｂは、入力された素材情報、及び、当該素材情報で特定されるＣＭ素材が当該放送局に搬入されたことを示す情報を、入稿サーバ２０Ａ及び２０Ｂに送信する。そして、入稿サーバ２０Ａ及び２０Ｂは、営業放送システム３０Ａ及び３０Ｂから受信した情報を、配信データ管理装置１０に送信する。配信データ管理装置１０は、入稿サーバ２０Ａ及び２０Ｂから受信した当該情報に基づいて、素材管理データベースを更新する。
【００３０】
広告会社（制作担当）４で制作されたＣＭ素材が、ファイルベース媒体で放送局１及び２各々に搬入された場合は、入稿サーバ２０Ａ及び２０Ｂは、当該ファイルベース媒体から、ＣＭ素材、及び、当該ＣＭ素材の素材情報を取得する。そして、入稿サーバ２０Ａ及び２０Ｂは、取得した素材情報、及び、当該素材情報で特定されるＣＭ素材が当該放送局に搬入されたことを示す情報を、配信データ管理装置１０に送信する。配信データ管理装置１０は、入稿サーバ２０Ａ及び２０Ｂから送信されてきた当該情報に基づいて、素材管理データベースを更新する。
【００３１】
次に、本実施形態の詳細な構成を説明する。
【００３２】
図２に、本実施形態のＣＭ素材在局管理システムの機能ブロック図の一例を示す。図示するように、ＣＭ素材在局管理システムは、配信データ管理装置１０と、入稿サーバ２０とを有する。なお、さらに、営業放送システム３０を有してもよい。ＣＭ素材在局管理システムが備える入稿サーバ２０の数は図示する数に限定されず、複数とすることができる。
【００３３】
以下、配信データ管理装置１０、入稿サーバ２０の順に、各々の構成の詳細を説明する。
【００３４】
＜配信データ管理装置１０＞
図２に示すように、配信データ管理装置１０は、素材管理データベース記憶部１１と、管理装置側ＣＭ素材受信部１２と、管理装置側ＣＭ素材記憶部１３と、ＣＭ素材送信部１４と、第１搬入情報取得部１５と、第２搬入情報取得部１７と、更新部１６とを有する。以下、各部について説明する。
【００３５】
管理装置側ＣＭ素材受信部１２は、インターネットやＷＡＮ（Wide Area Network）等の通信網（以下、単に「通信網」という）を介して、広告会社（制作担当）３から、ＣＭ素材及び当該ＣＭ素材を識別するための素材情報を受信する。
【００３６】
ＣＭ素材は、ＣＭのコンテンツそのもののデータであり、画像データや音声データ等を含むデータである。
【００３７】
素材情報は、各ＣＭ素材を識別するための情報を含むデータである。図３に、素材情報の構成の一例を示す。図示する素材情報は、複数のＣＭ素材各々を識別するための情報である１０桁コード、複数のＣＭ素材各々に付された名称である素材名、及び、当該ＣＭ素材を制作した制作会社の名称である制作会社名を含む。なお、図３に示す例はあくまで一例であり、その他の情報を含んでもよいし、制作会社名やＣＭの題名の少なくとも一方を含まなくてもよい。
【００３８】
図２に戻り、管理装置側ＣＭ素材記憶部１３は、管理装置側ＣＭ素材受信部１２が受信したＣＭ素材及び素材情報を記憶する。
【００３９】
ＣＭ素材送信部１４は、管理装置側ＣＭ素材記憶部１３に記憶されているＣＭ素材及び素材情報を、通信網を伝達媒体として、入稿サーバ２０に送信する。
【００４０】
例えば、ＣＭ素材送信部１４は、予め、複数の放送局各々が備える入稿サーバ２０のアドレス情報を保持しておく。そして、広告会社（扱い担当）又は広告会社（制作担当）から、あるＣＭ素材をある放送局の入稿サーバ２０に送信する指示入力を受付けると、ＣＭ素材送信部１４は、当該指示に従い、指定されたＣＭ素材及び当該ＣＭ素材の素材情報を、指定された入稿サーバ２０に送信する。なお、当該指示入力の手段は特段制限されない。
【００４１】
第１搬入情報取得部１５は、ＣＭ素材送信部１４がＣＭ素材をある放送局の入稿サーバ２０に送信すると、ＣＭ素材送信部１１から、送信したＣＭ素材の素材情報、及び、送信先の放送局を識別するための情報（放送局識別情報）を含む第１搬入情報を取得する。
【００４２】
例えば、ＣＭ素材送信部１４は、ＣＭ素材を入稿サーバ２０に送信する処理をトリガにして、第１搬入情報取得部１５に、第１搬入情報を送信する。そして、第１搬入情報取得部１５は、このようにして送られてきた第１搬入情報を取得する。
【００４３】
このように、第１搬入情報取得部１５は、入稿サーバ２０から第１搬入情報を取得するのでなく、配信データ管理装置１０の内部で作成された第１搬入情報を取得する。
【００４４】
ここで、図４に、第１搬入情報の構成の一例を示す。図示する第１搬入情報は、ＣＭ素材の素材情報、放送局を識別するための放送局識別情報、及び、当該素材情報で特定されるＣＭ素材を当該放送局識別情報で特定される放送局に搬入したことを示す情報を含む。第１搬入情報に含まれる放送局識別情報は、放送局を識別できる情報であれば特段制限されず、例えば、複数の放送局各々が備える入稿サーバ２０各々を識別する情報（アドレス情報、サーバ名等）であってもよい。なお、図４に示す例はあくまで一例であり、第１搬入情報にはその他の情報が含まれてもよい。
【００４５】
図２に戻り、第２搬入情報取得部１７は、可搬型の記憶媒体でＣＭ素材が放送局へ搬入された場合、当該放送局の入稿サーバ２０から、搬入されたＣＭ素材の素材情報、及び、当該ＣＭ素材が当該放送局に搬入されたことを示す情報を含む第２搬入情報を取得する。
【００４６】
ここで、図５に、第２搬入情報の構成の一例を示す。図示する第２搬入情報は、ＣＭ素材の素材情報、放送局を識別するための放送局識別情報、当該素材情報で特定されるＣＭ素材を当該放送局識別情報で特定される放送局に搬入したことを示す情報、及び、当該ＣＭ素材の搬入に用いられた伝達媒体を識別する情報である媒体種別（テープ媒体、ファイルベース媒体等）を含む。第２搬入情報に含まれる放送局識別情報は、放送局を識別できる情報であれば特段制限されず、第１搬入情報に含まれる放送局識別情報と同様に、複数の放送局各々が備える入稿サーバ２０各々を識別する情報（アドレス情報、サーバ名等）であってもよいし、又は、第１搬入情報に含まれる放送局識別情報とは異なる情報であってもよい。なお、図５に示す例はあくまで一例であり、第２搬入情報にはその他の情報が含まれてもよいし、また、媒体種別を含まなくてもよい。
【００４７】
第２搬入情報取得部１７が取得する第２搬入情報は、入稿サーバ２０側で作成されるが、当該作成処理の詳細は以下で説明する。
【００４８】
図２に戻り、素材管理データベース記憶部１１は、ＣＭ素材各々を識別するための素材情報各々に、各放送局へのＣＭ素材の搬入状態を示す情報を関連付けて管理する素材管理データベースを記憶する。
【００４９】
図６に、素材管理データベースで管理される素材管理データの構成の一例を示す。図示する素材管理データは、１つの素材情報に、４つの放送局を対応付けるとともに、各放送局に、「在局又は非在局」及び「媒体種別」の情報を対応付けている。なお、１つの素材情報に対応付ける放送局の数は、図示するものに限定されない。
【００５０】
「在局」又は「非在局」の情報は、当該素材情報で特定されるＣＭ素材が、各放送局に搬入された状態か否かを示している。「在局」は、ＣＭ素材が放送局に搬入され、存在することを示し、「非在局」は、ＣＭ素材が放送局に搬入されていないことを示す。「媒体種別」は、当該ＣＭ素材の搬入に利用された伝達媒体を示し、例えば、「通信網」、「ファイルベース媒体」、又は、「テープ媒体」の情報が付される。
【００５１】
なお、図示するデータ構成はあくまで一例であり、その他の情報を含んでもよいし、又は、媒体種別を含まなくてもよい。また、素材情報で特定されるＣＭ素材が搬入されている放送局のみを、当該素材情報に関連付けて登録するようにしてもよい。
【００５２】
図２に戻り、更新部１６は、第１搬入情報取得部１５が取得した第１搬入情報（図４参照）、及び、第２搬入情報取得部１７が取得した第２搬入情報（図５参照）に基づいて、素材管理データベースを更新する。
【００５３】
ここで、図７のフローチャートを用いて、更新部１６による更新処理の流れの一例を説明する。
【００５４】
例えば、第１搬入情報取得部１５が第１搬入情報（図４参照）を取得すると（Ｓ１０）、更新部１６は、当該第１搬入情報に含まれる素材情報をキーとして、素材管理データベースを検索する（Ｓ２０）。そして、キーの素材情報が素材管理データベース内で見付からなかった場合（Ｓ３０のＮｏ）、当該素材情報を新たに素材管理データベースに登録するとともに、当該素材情報に対応付けて、取得した第１搬入情報に含まれる放送局識別情報で特定される放送局に、当該素材情報で特定されるＣＭ素材が搬入されたことを示す情報を登録する（Ｓ５０）。
【００５５】
一方、キーの素材情報が素材管理データベース内で見付かった場合（Ｓ３０のＹｅｓ）、素材管理データベースに既に登録されている素材情報に対応付けて、取得した第１搬入情報に含まれる放送局で特定される放送局に、当該素材情報で特定されるＣＭ素材が搬入されたことを示す情報を登録する（Ｓ４０）。
【００５６】
なお、第２搬入情報取得部１５が第２搬入情報（図５参照）を取得した場合も、更新部１６は同様の流れで更新処理を行うことができる。
【００５７】
以上説明した本実施形態の配信データ管理装置１０は、例えば以下のプログラムをコンピュータにインストールすることで、実現することができる。
【００５８】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
前記ＣＭ素材各々を識別するための素材情報各々に、各放送局への前記ＣＭ素材の搬入状態を示す情報を関連付けて管理する素材管理データベースを記憶する素材管理データベース記憶手段、
通信網を伝達媒体として、前記放送局各々に備えられる入稿サーバ各々に前記ＣＭ素材を送信するＣＭ素材送信手段、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段、
前記第１搬入情報、および、前記第２搬入情報に基づいて、前記素材管理データベースを更新する更新手段、
として機能させるためのプログラム。
【００５９】
＜入稿サーバ２０＞
図２に示すように、入稿サーバ２０は、ＣＭ素材受信部２１と、ＣＭ素材記憶部２２と、搬入情報入力受付部２３と、搬入情報送信部２６とを有する。以下、各部について説明する。
【００６０】
ＣＭ素材受信部２１は、配信データ管理装置１０のＣＭ素材送信部１４が送信したＣＭ素材を受信する。この時、あわせて、当該ＣＭ素材の素材情報を受信してもよい。
【００６１】
ＣＭ素材記憶部２２は、ＣＭ素材受信部２１が受信したＣＭ素材を記憶する。なお、ＣＭ素材記憶部２２は、ＣＭ素材に対応付けて、当該ＣＭ素材の素材情報を記憶してもよい。
【００６２】
搬入情報入力受付部２３は、可搬型の記憶媒体でＣＭ素材が放送局へ搬入された場合、搬入されたＣＭ素材の素材情報（図３参照）の入力を受付ける。
【００６３】
可搬型の記憶媒体には、テープ媒体及びファイルベース媒体が含まれる。テープ媒体は、ＣＭ素材を記憶するが、当該ＣＭ素材の素材情報は記憶しない。一方、ファイルベース媒体は、例えば光ディスクやフラッシュメモリ等であり、ＣＭ素材、及び、当該ＣＭ素材の素材情報の両方を記憶する。
【００６４】
なお、搬入情報入力受付部２３は、ＣＭ素材の素材情報（図３参照）の入力を受付けるために、ファイルベース媒体情報受付部２４とテープ媒体情報受付部２５を有してもよい。
【００６５】
テープ媒体情報受付部２５は、ＣＭ素材がテープ媒体で放送局へ搬入された場合、ユーザ（放送局の担当者）が入力した当該ＣＭ素材の素材情報を、搬入されたＣＭ素材の素材情報として取得する。
【００６６】
例えば、放送局の担当者は、テープ媒体の外面等に付されたラベルや、テープ媒体とは別に搬入された紙媒体、電子メール等に記載されている素材情報を、各放送局が備える営業放送システム３０に入力する。入力手段は特段制限されず、キーボード、マウス、操作ボタン、タッチパネルディスプレイ、マイク等のあらゆる入力装置を利用して、実現することができる。
【００６７】
そして、テープ媒体情報受付部２５は、営業放送システム３０に入力された素材情報を、当該営業放送システム３０から取得する。なお、テープ媒体情報受付部２５は、営業放送システム３０を介さず、直接、入力装置を用いて素材情報のユーザ入力を受付けてもよいし、営業放送システム３０と異なる装置を介して、素材情報のユーザ入力を受付けてもよい。
【００６８】
ファイルベース媒体情報受付部２４は、ＣＭ素材がファイルベース媒体で放送局へ搬入された場合、当該ファイルベース媒体に記憶されているＣＭ素材、及び、当該ＣＭ素材の素材情報を、当該ファイルベース媒体から取得する。そして、ＣＭ素材記憶部２２は、ファイルベース媒体情報受付部２４が取得したＣＭ素材をも記憶する。なお、ＣＭ素材記憶部２２は、ＣＭ素材に対応付けて、ファイルベース媒体情報受付部２４が取得した当該ＣＭ素材の素材情報を記憶してもよい。
【００６９】
搬入情報送信部２６は、通信網を介して、配信データ管理装置１０に情報を送信する。例えば、搬入情報送信部２６は、搬入情報入力受付部２３が入力を受付けた素材情報、当該入稿サーバ２０を備える放送局を識別するための放送局識別情報、及び、当該素材情報で特定されるＣＭ素材が当該放送局識別情報で特定される放送局に搬入されたことを示す情報を含む第２搬入情報（図５参照）を、配信データ管理装置１０の第２搬入情報取得部１７に送信する。なお、第２搬入情報には、「媒体種別」の情報が含まれていてもよい。
【００７０】
以上説明した本実施形態の入稿サーバ２０は、例えば以下のプログラムをコンピュータにインストールすることで、実現することができる。
【００７１】
ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の前記素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
として機能させるためのプログラム。
【００７２】
以上説明した本実施形態のＣＭ素材在局管理システムによれば、素材管理データベースを利用して、あるＣＭ素材がある放送局に搬入されているか否かを効率的に確認することができる。なお、素材管理データベースを利用してあるＣＭ素材がある放送局に搬入されているか否かを確認する処理は、従来技術に準じて実現できるので、ここでの説明は省略する。
【００７３】
＜＜第２の実施形態＞＞
本実施形態のＣＭ素材在局管理システムは、第１の実施形態のＣＭ素材在局管理システムの構成に加えて、さらに以下の構成を有する。
【００７４】
テープ媒体で放送局に搬入されたＣＭ素材は、その後、例えば一定期間経過後、放送局から搬入元に返却される。この返却により、ある放送局に存在していたＣＭ素材は、当該放送局に存在しないこととなる。本実施形態では、このような状態の変化を、素材管理データベースに反映させるための構成を有する。
【００７５】
次に、本実施形態の詳細な構成を説明する。
【００７６】
図８に、本実施形態のＣＭ素材在局管理システムの機能ブロック図の一例を示す。図示するように、ＣＭ素材在局管理システムは、配信データ管理装置１０と、入稿サーバ２０とを有する。なお、さらに、営業放送システム３０を有してもよい。ＣＭ素材在局管理システムが備える入稿サーバ２０の数は図示する数に限定されず、複数とすることができる。
【００７７】
以下、入稿サーバ２０、配信データ管理装置１０の順に、各々の構成の詳細を説明する。
【００７８】
＜入稿サーバ２０＞
図８に示すように、入稿サーバ２０は、ＣＭ素材受信部２１と、ＣＭ素材記憶部２２と、搬入情報入力受付部２３と、搬入情報送信部２６とを有する。
【００７９】
以下、搬入情報入力受付部２３と搬入情報送信部２６の構成について説明する。なお、第１の実施形態におけるこれらの構成と異なる点のみを説明する。また、その他の部の構成は、第１の実施形態と同様であるので、ここでの説明は省略する。
【００８０】
搬入情報入力受付部２３のテープ媒体情報受付部２５は、テープ媒体で各放送局へ搬入されたＣＭ素材が、当該放送局から搬入元に返却された場合、すなわち、当該テープ媒体が返却された場合、ユーザが手入力した当該ＣＭ素材の素材情報、及び、当該ＣＭ素材が当該放送局から返却されたことを示す情報を含むＣＭ素材返却情報の入力を受付ける。
【００８１】
例えば、放送局の担当者は、返却するテープ媒体の外面等に付されたラベルに記載されている素材情報や、返却するＣＭ素材の素材情報を記録した紙媒体、電子データ等に記載の情報を利用して、返却するＣＭ素材の素材情報を把握する。そして、キーボード、マウス、操作ボタン、タッチパネルディスプレイ、マイク等のあらゆる入力装置を利用して、把握した素材情報を、搬入元に返却するＣＭ素材の素材情報として、営業放送システム３０に入力する。
【００８２】
そして、テープ媒体情報受付部２５は、営業放送システム３０に入力された素材情報を、搬入元に返却するＣＭ素材の素材情報として、当該営業放送システム３０から取得する。なお、テープ媒体情報受付部２５は、営業放送システム３０を介さず、直接、入力装置を用いてこれらの情報のユーザ入力を受付けてもよいし、営業放送システム３０と異なる装置を介して、これらの情報のユーザ入力を受付けてもよい。
【００８３】
ここで、図９に、ＣＭ素材返却情報の構成の一例を示す。図示するＣＭ素材返却情報は、ＣＭ素材の素材情報、放送局を識別するための放送局識別情報、及び、当該素材情報で特定されるＣＭ素材を当該放送局識別情報で特定される放送局から搬入元に返却したことを示す情報を含む。ＣＭ素材返却情報に含まれる放送局識別情報は、放送局を識別できる情報であれば特段制限されず、例えば、複数の放送局各々が備える入稿サーバ２０各々を識別する情報（アドレス情報、サーバ名等）であってもよい。なお、図示するＣＭ素材返却情報はあくまで一例であり、その他の情報が含まれてもよい。
【００８４】
図８に戻り、搬入情報送信部２６は、テープ媒体情報受付部２５が入力を受付けたＣＭ素材返却情報（図９参照）を、配信データ管理装置１０に送信する。
【００８５】
＜配信データ管理装置１０＞
図８に示すように、配信データ管理装置１０は、素材管理データベース記憶部１１と、管理装置側ＣＭ素材受信部１２と、管理装置側ＣＭ素材記憶部１３と、ＣＭ素材送信部１４と、第１搬入情報取得部１５と、第２搬入情報取得部１７と、更新部１６と、返却情報取得部１８とを有する。
【００８６】
以下、返却情報取得部１８、更新部１６、及び、素材管理データベース記憶部１１について説明する。なお、第１の実施形態におけるこれらの構成と異なる点のみを説明する。また、その他の部の構成は、第１の実施形態と同様であるので、ここでの説明は省略する。
【００８７】
返却情報取得部１８は、搬入情報送信部２６が送信したＣＭ素材返却情報（図９参照）を取得する。
【００８８】
更新部１６は、さらに、返却情報取得部１８が取得したＣＭ素材返却情報に基づいて、素材管理データベース記憶部１１が記憶する素材管理データベースを更新する構成を備える。
【００８９】
ここで、図１０に、本実施形態の素材管理データベースで管理される素材管理データの構成の一例を示す。図示する素材管理データは、１つの素材情報に、４つの放送局を対応付けるとともに、各放送局に、「在局、非在局又は返却」及び「媒体種別」の情報を対応付けている。
【００９０】
「在局」、「非在局」又は「返却」の情報は、当該素材情報で特定されるＣＭ素材が、各放送局に搬入された状態か否かを示している。「在局」は、ＣＭ素材が放送局に搬入され、存在することを示し、「非在局」は、ＣＭ素材が放送局に搬入されていないことを示し、「返却」は、ＣＭ素材が放送局に搬入された後、搬入元に返却されたことを示す。「媒体種別」は、第１の実施形態で説明した通りである。
【００９１】
なお、更新部１６による更新の処理の流れは、第１の実施形態で説明したものに準じて実現できるので、ここでの説明は省略する。
【００９２】
以上説明した本実施形態のＣＭ素材在局管理システムによれば、素材管理データベースを利用して、あるＣＭのコンテンツデータがある放送局に搬入されているか否かを効率的に確認することができる。
【００９３】
また、本実施形態のＣＭ素材在局管理システムによれば、ＣＭ素材の返却という当該業界特有のアクションを、素材管理データベースに反映させることができる。
【００９４】
＜＜第３の実施形態＞＞
本実施形態のＣＭ素材在局管理システムは、第１の実施形態又は第２の実施形態のＣＭ素材在局管理システムの構成に加えて、さらに以下の構成を有する。
【００９５】
通信網又はファイルベース媒体で放送局に搬入され、ＣＭ素材記憶部２２に記憶されているＣＭ素材は、その後、例えば一定期間経過後、当該ＣＭ素材記憶部２２から削除される。なお、搬入の際に使用されたファイルベース媒体は、当該削除処理前に、搬入元に返却されるか、又は、破棄されている。このため、ＣＭ素材記憶部２２からの削除により、ある放送局に存在していたＣＭ素材は、当該放送局に存在しないこととなる。本実施形態では、このような状態の変化を、素材管理データベースに反映させるための構成を有する。
【００９６】
次に、本実施形態の詳細な構成を説明する。
【００９７】
図１１に、本実施形態のＣＭ素材在局管理システムの機能ブロック図の一例を示す。図示するように、ＣＭ素材在局管理システムは、配信データ管理装置１０と、入稿サーバ２０とを有する。なお、さらに、営業放送システム３０を有してもよい。ＣＭ素材在局管理システムが備える入稿サーバ２０の数は図示する数に限定されず、複数とすることができる。
【００９８】
以下、入稿サーバ２０、配信データ管理装置１０の順に、各々の構成の詳細を説明する。
【００９９】
＜入稿サーバ２０＞
図１１に示すように、入稿サーバ２０は、ＣＭ素材受信部２１と、ＣＭ素材記憶部２２と、搬入情報入力受付部２３と、搬入情報送信部２６と、ＣＭ素材削除部２７と、ＣＭ素材削除情報取得部２８とを有する。
【０１００】
以下、ＣＭ素材削除部２７、ＣＭ素材削除情報取得部２８、及び、搬入情報送信部２６の構成について説明する。なお、第１の実施形態及び第２の実施形態におけるこれらの構成と異なる点のみを説明する。また、その他の部の構成は、第１の実施形態及び第２の実施形態と同様であるので、ここでの説明は省略する。
【０１０１】
ＣＭ素材削除部２７は、ＣＭ素材記憶部２２が記憶するＣＭ素材を削除する。例えば、ＣＭ素材削除部２７は、ユーザからの入力内容に従い、指定されたＣＭ素材を、ＣＭ素材記憶部２２から削除してもよい。または、ＣＭ素材削除部２７は、ＣＭ素材記憶部２２に記憶されている複数のＣＭ素材各々の記憶開始日時を、例えば各ＣＭ素材がＣＭ素材記憶部２２に記憶された時点で取得し、その後、ＣＭ素材毎に、ＣＭ素材記憶部２２に記憶されている期間を管理しておく。そして、ＣＭ素材削除部２７は、ＣＭ素材記憶部２２に記憶されている期間が所定の期間を超えたＣＭ素材を、ＣＭ素材記憶部２２から削除してもよい。
【０１０２】
ＣＭ素材削除情報取得部２８は、ＣＭ素材削除部２７がＣＭ素材をＣＭ素材記憶部２２から削除すると、削除したＣＭ素材の素材情報、及び、当該ＣＭ素材を当該放送局のＣＭ素材記憶部２２から削除したことを示す情報を含むＣＭ素材削除情報を取得する。
【０１０３】
例えば、ＣＭ素材削除部２７は、ＣＭ素材をＣＭ素材記憶部２２から削除する処理をトリガにして、ＣＭ素材削除情報取得部２８に、ＣＭ素材削除情報を送信する。そして、ＣＭ素材削除情報取得部２８は、このようにして送られてきたＣＭ素材削除情報を取得する。
【０１０４】
ここで、図１２に、ＣＭ素材削除情報の構成の一例を示す。図示するＣＭ素材削除情報は、ＣＭ素材の素材情報、放送局を識別するための放送局識別情報、及び、当該素材情報で特定されるＣＭ素材を当該放送局識別情報で特定される放送局のＣＭ素材記憶部２２から削除したことを示す情報を含む。ＣＭ素材削除情報に含まれる放送局識別情報は、放送局を識別できる情報であれば特段制限されず、例えば、複数の放送局各々が備える入稿サーバ２０各々を識別する情報（アドレス情報、サーバ名等）であってもよい。なお、図示するＣＭ素材削除情報はあくまで一例であり、その他の情報が含まれてもよい。
【０１０５】
搬入情報送信部２６は、ＣＭ素材削除情報取得部２８が取得したＣＭ素材削除情報（図１２参照）を、配信データ管理装置１０に送信する。
【０１０６】
＜配信データ管理装置１０＞
図１１に示すように、配信データ管理装置１０は、素材管理データベース記憶部１１と、管理装置側ＣＭ素材受信部１２と、管理装置側ＣＭ素材記憶部１３と、ＣＭ素材送信部１４と、第１搬入情報取得部１５と、第２搬入情報取得部１７と、更新部１６と、削除情報得部１９とを有する。なお、図示しないが、返却情報取得部１８を有してもよい。
【０１０７】
以下、削除情報取得部１９、更新部１６、及び、素材管理データベース記憶部１１について説明する。なお、第１の実施形態及び第２の実施形態におけるこれらの構成と異なる点のみを説明する。また、その他の部の構成は、第１の実施形態及び第２の実施形態と同様であるので、ここでの説明は省略する。
【０１０８】
削除情報取得部１９は、入稿サーバ２０の搬入情報送信部２６が送信したＣＭ素材削除情報（図１２参照）を取得する。
【０１０９】
更新部１６は、さらに、削除情報取得部１９が取得したＣＭ素材削除情報に基づいて、素材管理データベース記憶部１１が記憶する素材管理データベースを更新する構成を備える。
【０１１０】
ここで、図１３に、本実施形態の素材管理データベースで管理される素材管理データの構成の一例を示す。図示する素材管理データは、１つの素材情報に、４つの放送局を対応付けるとともに、各放送局に、「在局、非在局又は削除」及び「媒体種別」の情報を対応付けている。
【０１１１】
「在局」、「非在局」又は「削除」の情報は、当該素材情報で特定されるＣＭ素材が、各放送局に搬入された状態か否かを示している。「在局」は、ＣＭ素材が放送局に搬入され、存在することを示し、「非在局」は、ＣＭ素材が放送局に搬入されていないことを示し、「削除」は、ＣＭ素材が放送局に搬入され、ＣＭ素材記憶部２２に記憶された後、削除されたことを示す。「媒体種別」は、第１の実施形態で説明した通りである。
【０１１２】
なお、更新部１６による更新の処理の流れは、第１の実施形態で説明したものに準じて実現できるので、ここでの説明は省略する。
【０１１３】
以上説明した本実施形態のＣＭ素材在局管理システムによれば、素材管理データベースを利用して、あるＣＭのコンテンツデータがある放送局に搬入されているか否かを効率的に確認することができる。
【０１１４】
また、本実施形態のＣＭ素材在局管理システムによれば、ＣＭ素材の削除という当該業界特有のアクションを、素材管理データベースに反映させることができる。
【０１１５】
＜＜第４の実施形態＞＞
本実施形態のＣＭ素材在局管理システムは、第１の実施形態、第２の実施形態又は第３の実施形態のＣＭ素材在局管理システムの構成に加えて、さらに以下の構成を有する。
【０１１６】
素材情報に含まれるコードは、広告会社（制作担当）により、各ＣＭ素材に付される。このコードは各ＣＭ素材を識別するための情報であるため、ユニークなものであることが好ましい。しかし、現在、ユニーク性が保証されていないコードが、ＣＭ素材に付される場合がある。すなわち、異なるＣＭ素材に同じコードが付される場合があり得る。
【０１１７】
かかる場合、素材情報に含まれるコードのみを頼りに素材管理データベース内を照合し、所定の更新処理を行うと、誤った更新処理を行ってしまう恐れがある。本実施形態では、このような状況を考慮して、適切に素材管理データベースを更新するための構成を有する。なお、以下ではコードを「１０桁コード」として説明するが、これに限定されない。
【０１１８】
以下、本実施形態の詳細な構成を説明するが、第１乃至第３の実施形態と異なる点のみを説明し、これらの実施形態と同様な点の説明は省略する。なお、本実施形態のＣＭ素材在局管理システムの機能ブロック図は、例えば第１乃至第３の実施形態で説明したものと同様なものとすることができる。
【０１１９】
まず、図１４に、本実施形態の素材情報の構成の一例を示す。図示する素材情報は、１０桁コード、素材名、及び、制作会社名に加えて、ユニーク保証情報を含む。ユニーク保証情報は、当該素材情報に含まれる１０桁コードがユニーク性を保証されているか否かを示す情報である。
【０１２０】
例えば、広告会社（制作担当）は、ユニークであることを確認した１０桁コードをＣＭ素材に付した場合には、当該ＣＭ素材の素材情報に、当該１０桁コードはユニーク性を保証することを示す情報（ユニーク保証情報）を付す。一方、ユニークであることを確認していない１０桁コードをＣＭ素材に付した場合には、広告会社（制作担当）は、当該ＣＭ素材の素材情報に、当該１０桁コードはユニーク性を保証しないことを示す情報（ユニーク保証情報）を付す。
【０１２１】
次に、図１５のフローチャートを用いて、配信データ管理装置１０の更新部１６による更新の処理の流れの一例を説明する。
【０１２２】
例えば、第２搬入情報取得部１７が第２搬入情報（図５参照）を取得すると（Ｓ１０）、更新部１６は、当該第２搬入情報に含まれる素材情報の１０桁コードをキーとして、素材管理データベースを検索する（Ｓ２０）。そして、キーの１０桁コードが素材管理データベース内で見付からなかった場合には（Ｓ３０のＮｏ）、当該素材情報を新たに素材管理データベースに登録するとともに、当該素材情報に関連付けて、取得した第２搬入情報に含まれる放送局識別情報で特定される放送局に、当該素材情報で特定されるＣＭ素材が搬入されたことを示す情報を登録する（Ｓ５０）。
【０１２３】
一方、キーの１０桁コードが素材管理データベース内で見付かった場合には（Ｓ３０のＹｅｓ）、更新部１６は、Ｓ１０で取得された第２搬入情報に含まれる前記素材情報に、ユニーク性を保証することを示すユニーク保証情報が含まれるか否か確認する。
【０１２４】
含まれる場合（Ｓ３５のＹｅｓ）、更新部１６は、素材管理データベースに既に登録されている素材情報に関連付けて、取得した第２搬入情報に含まれる放送局識別情報で特定される放送局に、当該素材情報で特定されるＣＭ素材が搬入されたことを示す情報を登録する（Ｓ４０）。
【０１２５】
一方、含まれない場合（Ｓ３５のＮｏ）、更新部１６は、既に素材管理データベースに登録されている当該素材情報に関連付けられた情報と識別可能に、取得した第２搬入情報に含まれる放送局識別情報で特定される放送局に、当該素材情報で特定されるＣＭ素材が搬入されたことを示す情報を登録する（Ｓ６０）。
【０１２６】
ここで、図１６に、本実施形態の素材管理データベースで管理される素材管理データの構成の一例を示す。図示する素材管理データは、１つの素材情報に、３つの放送局を対応付けるとともに、各放送局に、「在局又は非在局」の情報を対応付けている。これらの情報は第１乃至第３の実施形態で説明した通りであるので、ここでの説明は省略する。なお、素材管理データに含まれる素材情報には、ユニーク保証情報が含まれない。
【０１２７】
ここで、図１６においては、１つの素材情報に、２つのＣ局が対応付けられている。当該例の場合、Ｃ局に、同じ１０桁コードが付された異なるＣＭ素材が搬入されていることが分かる。一方は、ユニーク性を保証された１０桁コードを付されたＣＭ素材であり、他方は、ユニーク性を保証されていない１０桁コードを付されたＣＭ素材である。
【０１２８】
上側のＣ局には、図示する素材情報に含まれる１０桁コードを付されたＣＭ素材が搬入されたことを示す「在局」の情報が付されるとともに、「未確認」の情報が付されている。これは、Ｃ局に当該ＣＭ素材が搬入されたことを示す情報（第１搬入情報（図４参照）、又は、第２搬入情報（図５参照））に含まれる素材情報（図１４参照）の中に、当該１０桁コードのユニーク性を保証することを示すユニーク保証情報が含まれていなかったことを示す。
【０１２９】
一方、下側のＣ局には、図示する素材情報に含まれる１０桁コードを付されたＣＭ素材が搬入されたことを示す「在局」の情報が付されるとともに、「未確認」の情報が付されていない。これは、Ｃ局に当該ＣＭ素材が搬入されたことを示す情報（第１搬入情報（図４参照）、又は、第２搬入情報（図５参照））に含まれる素材情報（図１４参照）の中に、当該１０桁コードのユニーク性を保証することを示すユニーク保証情報が含まれていたことを示す。
【０１３０】
本実施形態では、このような互いに異なるＣＭ素材であるが、同じ１０桁コードが付された複数のＣＭ素材が同じ放送局に搬入された場合でも、素材情報に含まれるユニーク保証情報に基づいて、これらのＣＭ素材を識別することができる。そして、図１６に示すように、これらを識別可能に素材管理データベースに登録することができる。
【０１３１】
このため、本実施形態のＣＭ素材在局管理システムによれば、素材管理データベースの更新処理を誤る不都合を軽減することができる。そして、このような素材管理データベースを利用して、あるＣＭのコンテンツデータがある放送局に搬入されているか否かを効率的に確認することができる。
【０１３２】
＜＜第５の実施形態＞＞
本実施形態のＣＭ素材在局管理システムは、第１の実施形態、第２の実施形態、第３の実施形態又は第４の実施形態のＣＭ素材在局管理システムの構成に加えて、さらに以下の構成を有する。
【０１３３】
第４の実施形態で説明した通り、ユニーク性を保証されていない１０桁コードがＣＭ素材に付される場合がある。また、ＣＭ素材が放送局に搬入される前に、当該ＣＭ素材が当該放送局に近々搬入されることを示す情報（営業情報）が、当該放送局に伝えられる場合がある。
【０１３４】
本実施形態では、上記営業情報に基づいて、素材管理データベースを更新するための構成を有する。また、ユニーク性を保証されていない１０桁コードがＣＭ素材に付されることがある状況を考慮して、適切に素材管理データベースを更新するための構成を有する。
【０１３５】
次に、本実施形態の詳細な構成を説明する。
【０１３６】
図１７に、本実施形態のＣＭ素材在局管理システムの機能ブロック図の一例を示す。図示するように、ＣＭ素材在局管理システムは、配信データ管理装置１０と、入稿サーバ２０とを有する。なお、さらに、営業放送システム３０を有してもよい。ＣＭ素材在局管理システムが備える入稿サーバ２０の数は図示する数に限定されず、複数とすることができる。
【０１３７】
以下、入稿サーバ２０、配信データ管理装置１０の順に、各々の構成の詳細を説明する。
【０１３８】
＜入稿サーバ２０＞
図１７に示すように、入稿サーバ２０は、ＣＭ素材受信部２１と、ＣＭ素材記憶部２２と、搬入情報入力受付部２３と、搬入情報送信部２６と、営業情報取得部２９とを有する。なお、図示しないが、ＣＭ素材削除部２７及びＣＭ素材削除情報取得部２８を有してもよい。
【０１３９】
以下、営業情報取得部２９、及び、搬入情報送信部２６の構成について説明する。なお、第１の実施形態乃至第４の実施形態におけるこれらの構成と異なる点のみを説明する。また、その他の部の構成は、第１の実施形態乃至第４の実施形態と同様であるので、ここでの説明は省略する。
【０１４０】
営業情報取得部２９は、ＣＭ素材の素材情報、及び、当該素材情報で特定されるＣＭ素材が近々、放送局に搬入されることを示す情報を含む営業情報を、当該ＣＭ素材が前記放送局に搬入される前に取得する。
【０１４１】
例えば、電子メール、郵送、ＦＡＸ、又は、電話などの手段を用いて、上述のような営業情報が、広告会社（扱い担当）５、または、広告会社（制作担当）３及び４から、放送局１及び２に伝えられる。
【０１４２】
すると、放送局の担当者は、キーボード、マウス、操作ボタン、タッチパネルディスプレイ、マイク等のあらゆる入力装置を利用して、取得した営業情報を、営業放送システム３０に入力する。
【０１４３】
そして、営業情報取得部２９は、営業放送システム３０に入力された営業情報を、当該営業放送システム３０から取得する。なお、営業情報取得部２９は、営業放送システム３０を介さず、直接、入力装置を用いて営業情報のユーザ入力を受付けてもよいし、営業放送システム３０と異なる装置を介して、営業情報のユーザ入力を受付けてもよい。
【０１４４】
ここで、図１８に、営業情報の構成の一例を示す。図示する営業情報は、ＣＭ素材の素材情報、当該素材情報で特定されるＣＭ素材が近々搬入されることを示す情報（搬入予定）、当該ＣＭ素材の伝達手段を示す媒体種別を含む。なお、図示する営業情報はあくまで一例であり、その他の情報が含まれてもよいし、媒体種別を含まなくてもよい。
【０１４５】
図１７に戻り、搬入情報送信部２６は、営業情報取得部２９が取得した営業情報に含まれる素材情報で特定されるＣＭ素材が、当該放送局に近々搬入されることを示す搬入予告情報を、配信データ管理装置１０に送信する。
【０１４６】
ここで、図１９に、搬入予告情報の構成の一例を示す。図示する搬入予告情報は、ＣＭ素材の素材情報、放送局を識別するための放送局識別情報、当該素材情報で特定されるＣＭ素材が、近々、当該放送局識別情報で特定される放送局に搬入されることを示す情報、及び、搬入手段（伝達手段）を示す媒体種別を含む。なお、図示する搬入予告情報はあくまで一例であり、その他の情報が含まれてもよいし、媒体種別を含まなくてもよい。
【０１４７】
＜配信データ管理装置１０＞
図１７に示すように、配信データ管理装置１０は、素材管理データベース記憶部１１と、管理装置側ＣＭ素材受信部１２と、管理装置側ＣＭ素材記憶部１３と、ＣＭ素材送信部１４と、第１搬入情報取得部１５と、第２搬入情報取得部１７と、更新部１６と、搬入予告情報取得部４０とを有する。なお、図示しないが、返却情報取得部１８及び削除情報取得部１９の少なくとも一方を備えてもよい。
【０１４８】
以下、搬入予告情報取得部４０、更新部１６、及び、素材管理データベース記憶部１１について説明する。なお、第１の実施形態乃至第４の実施形態におけるこれらの構成と異なる点のみを説明する。また、その他の部の構成は、第１の実施形態乃至第４の実施形態と同様であるので、ここでの説明は省略する。
【０１４９】
搬入予告情報取得部４０は、入稿サーバ２０の搬入情報送信部２６が送信した搬入予告情報（図１９参照）を取得する。
【０１５０】
更新部１６は、搬入予告情報に基づいて、素材管理データベースを更新する。
【０１５１】
ここで、図２０に、本実施形態の素材管理データベースで管理される素材管理データの構成の一例を示す。図示する素材管理データは、１つの素材情報に、４つの放送局を対応付けるとともに、各放送局に、「在局又は搬入予定」及び「媒体種別」の情報を対応付けている。また、Ｃ局及びＤ局に「未確認」の情報を対応付けている。
【０１５２】
Ｂ局に付された情報「搬入予定」は、近々、当該素材情報で特定されるＣＭ素材が、Ｂ局に搬入予定であり、現時点においては搬入されていないことを示す。その他の情報は第１乃至第４の実施形態で説明した通りであるので、ここでの説明は省略する。
【０１５３】
なお、本実施形態における更新部１６の更新処理は、図７のフローチャートを用いて説明した流れであってもよい。または、営業情報及び搬入予告情報の素材情報にユニーク保証情報が含まれており、更新部１６は、図１５のフローチャートを用いて説明した流れで更新処理を行ってもよい。以下、図１５のフローチャートを用いて、後者の処理の流れの一例を説明する。
【０１５４】
例えば、搬入予告情報取得部４０が搬入予告情報（図１９参照）を取得すると（Ｓ１０）、更新部１６は、当該搬入予告情報に含まれる素材情報の１０桁コードをキーとして、素材管理データベースを検索する（Ｓ２０）。そして、キーの１０桁コードが素材管理データベース内で見付からなかった場合には（Ｓ３０のＮｏ）、当該素材情報を新たに素材管理データベースに登録するとともに、当該素材情報に関連付けて、取得した搬入予告情報に含まれる放送局識別情報で特定される放送局に、当該素材情報で特定されるＣＭ素材が近々搬入されることを示す情報を登録する（Ｓ５０）。例えば、登録した素材情報に関連付けて当該放送局を登録するとともに、当該放送局に「搬入予定」の情報を付す。なお、この時、更新部１６は、取得した搬入予告情報に含まれる素材情報に、当該素材情報に含まれる１０桁コードのユニーク性を保証することを示すユニーク保証情報が含まれるか否かを確認し、当該１０桁コードのユニーク性が保証されているか否かを示す情報を当該放送局に付してもよい。
【０１５５】
一方、キーの１０桁コードが素材管理データベース内で見付かった場合には（Ｓ３０のＹｅｓ）、更新部１６は、Ｓ１０で取得された搬入予告情報に含まれる前記素材情報に、当該素材情報に含まれる１０桁コードのユニーク性を保証することを示すユニーク保証情報が含まれるか否か確認する。
【０１５６】
含まれる場合（Ｓ３５のＹｅｓ）、更新部１６は、素材管理データベースに既に登録されている素材情報に関連付けて、取得した搬入予告情報に含まれる放送局識別情報で特定される放送局に、当該素材情報で特定されるＣＭ素材が近々搬入されることを示す情報を登録する（Ｓ４０：図２０のＢ局参照）。
【０１５７】
一方、含まれない場合（Ｓ３５のＮｏ）、更新部１６は、既に素材管理データベースに登録されている当該素材情報に関連付けられた情報と識別可能に、取得した搬入予告情報に含まれる放送局識別情報で特定される放送局に、当該素材情報で特定されるＣＭ素材が近々搬入されることを示す情報を登録する（Ｓ６０：図２０のＤ局参照）。
【０１５８】
ここで、図２１に、本実施形態の素材管理データベースで管理される素材管理データの構成の一例を示す。図示する素材管理データは、１つの素材情報に、１つの放送局を対応付けるとともに、当該放送局に、「搬入予定」及び「媒体種別」の情報を対応付けている。
【０１５９】
以下、このような素材管理データを有する素材管理データベースを更新部１６が更新する処理の流れの一例を、図１５のフローチャートを用いて説明する。
【０１６０】
例えば、第１搬入情報取得部１５が第１搬入情報（図４参照）を取得すると（Ｓ１０）、更新部１６は、当該第１搬入情報に含まれる素材情報の１０桁コードをキーとして、素材管理データベースを検索する（Ｓ２０）。そして、キーの１０桁コードが素材管理データベース内で見付からなかった場合には（Ｓ３０のＮｏ）、当該素材情報を新たに素材管理データベースに登録するとともに、当該素材情報に関連付けて、取得した第１搬入情報に含まれる放送局識別情報で特定される放送局に、当該素材情報で特定されるＣＭ素材が搬入されたことを示す情報を登録する（Ｓ５０）。なお、この時、更新部１６は、取得した第１搬入情報に含まれる素材情報に、当該素材情報に含まれる１０桁コードのユニーク性を保証することを示すユニーク保証情報が含まれるか否かを確認し、当該１０桁コードのユニーク性が保証されているか否かを示す情報を当該放送局に付してもよい。
【０１６１】
一方、キーの１０桁コードが素材管理データベース内で見付かった場合には（Ｓ３０のＹｅｓ）、更新部１６は、Ｓ１０で取得された第１搬入情報に含まれる前記素材情報に、当該素材情報に含まれる１０桁コードのユニーク性を保証することを示すユニーク保証情報が含まれるか否か確認する。
【０１６２】
含まれる場合（Ｓ３５のＹｅｓ）、更新部１６は、素材管理データベースに既に登録されている素材情報に関連付けて、取得した第１搬入情報に含まれる放送局識別情報で特定される放送局に、当該素材情報で特定されるＣＭ素材が搬入されたことを示す情報を登録する（Ｓ４０）。なお、図２１に示すように、当該放送局に「搬入予定」の情報が付されていた場合には、「搬入予定」を「在局」に変更（更新）する。
【０１６３】
一方、含まれない場合（Ｓ３５のＮｏ）、更新部１６は、既に素材管理データベースに登録されている当該素材情報に関連付けられた情報と識別可能に、取得した搬入予告情報に含まれる放送局識別情報で特定される放送局に、当該素材情報で特定されるＣＭ素材が搬入されたことを示す情報を登録する。
【０１６４】
なお、第２搬入情報取得部１５が第２搬入情報（図５参照）を取得した場合も、更新部１６は同様の流れで更新処理を行うことができる。
【０１６５】
本実施形態によれば、第１の実施形態乃至第５の実施形態と同様の作用効果を実現することができる。
以下、参考形態の例を付記する。
１．  ＣＭ（Commercial Message）のコンテンツデータであって、通信網、または、可搬型の記憶媒体を伝達媒体として、複数の放送局各々に搬入されるＣＭ素材が、前記放送局各々に搬入されているか否かを確認するためのシステムであって、
配信データ管理装置と、前記放送局各々に備えられる複数の入稿サーバと、を有し、
前記配信データ管理装置は、
前記ＣＭ素材各々を識別するための素材情報各々に、各放送局への前記ＣＭ素材の搬入状態を示す情報を関連付けて管理する素材管理データベースを記憶する素材管理データベース記憶手段と、
通信網を伝達媒体として、前記入稿サーバ各々に前記ＣＭ素材を送信するＣＭ素材送信手段と、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段と、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段と、
前記第１搬入情報、および、前記第２搬入情報に基づいて、前記素材管理データベースを更新する更新手段と、
を有し、
前記入稿サーバは、
前記ＣＭ素材送信手段が送信した前記ＣＭ素材を受信するＣＭ素材受信手段と、
前記ＣＭ素材受信手段が受信した前記ＣＭ素材を記憶するＣＭ素材記憶手段と、
可搬型の記憶媒体で前記ＣＭ素材が前記放送局へ搬入された場合、搬入された前記ＣＭ素材の前記素材情報の入力を受付ける搬入情報入力受付手段と、
前記搬入情報入力受付手段が入力を受付けた前記素材情報、及び、当該ＣＭ素材が当該放送局に搬入されたことを示す情報を含む第２搬入情報を、前記第２搬入情報取得手段に送信する搬入情報送信手段と、
を有するＣＭ素材在局管理システム。
２．  １に記載のＣＭ素材在局管理システムにおいて、
前記搬入情報入力受付手段は、前記ＣＭ素材を記憶し、かつ、当該ＣＭ素材の前記素材情報を記憶しないテープ媒体で、前記ＣＭ素材が前記放送局へ搬入された場合、ユーザが手入力した当該ＣＭ素材の前記素材情報の入力を受付けるテープ媒体情報受付手段を有するＣＭ素材在局管理システム。
３．  ２に記載のＣＭ素材在局管理システムにおいて、
前記テープ媒体情報受付手段は、前記テープ媒体で前記放送局へ搬入された前記ＣＭ素材が、当該放送局から搬入元に返却された場合、ユーザが手入力した当該ＣＭ素材の前記素材情報、及び、当該ＣＭ素材が当該放送局から返却されたことを示す情報を含むＣＭ素材返却情報の入力を受付け、
前記搬入情報送信手段は、前記ＣＭ素材返却情報を前記配信データ管理装置に送信し、
前記配信データ管理装置は、前記搬入情報送信手段から前記ＣＭ素材返却情報を取得する返却情報取得手段をさらに有し、
前記更新手段は、前記ＣＭ素材返却情報に基づいて、前記素材管理データベースを更新するＣＭ素材在局管理システム。
４．  ２または３に記載のＣＭ素材在局管理システムにおいて、
前記テープ媒体情報受付手段は、各放送局が有する営業放送システムを介して、前記テープ媒体で前記放送局へ搬入された前記ＣＭ素材の搬入状態に関する情報の入力を受付けるＣＭ素材在局管理システム。
５．  １から４のいずれかに記載のＣＭ素材在局管理システムにおいて、
前記搬入情報入力受付手段は、前記ＣＭ素材、及び、当該ＣＭ素材の前記素材情報を記憶するファイルベース媒体で、前記ＣＭ素材が前記放送局へ搬入された場合、前記ファイルベース媒体に記憶されている当該ＣＭ素材、及び、当該ＣＭ素材の前記素材情報を、前記ファイルベース媒体から取得するファイルベース媒体情報受付手段を有し、
前記ＣＭ素材記憶手段は、前記ファイルベース媒体情報受付手段が受付けた前記ＣＭ素材をさらに記憶するＣＭ素材在局管理システム。
６．  ５に記載のＣＭ素材在局管理システムにおいて、
前記入稿サーバは、
前記ＣＭ素材記憶手段が記憶する前記ＣＭ素材を削除するＣＭ素材削除手段と、
前記ＣＭ素材削除手段が前記ＣＭ素材を前記ＣＭ素材記憶手段から削除すると、削除した前記ＣＭ素材の前記素材情報、及び、当該ＣＭ素材を当該放送局の前記ＣＭ素材記憶手段から削除したことを示す情報を含むＣＭ素材削除情報を取得するＣＭ素材削除情報取得手段と、をさらに有し、
前記搬入情報送信手段は、前記ＣＭ素材削除情報を、前記配信データ管理装置に送信し、
前記配信データ管理装置は、前記搬入情報送信手段から前記ＣＭ素材削除情報を取得する削除情報取得手段をさらに有し、
前記更新手段は、前記ＣＭ素材削除情報に基づいて、前記素材管理データベースを更新するＣＭ素材在局管理システム。
７．  １から６のいずれかに記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されている場合には、当該第２搬入情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該第２搬入情報に基づいて更新するＣＭ素材在局管理システム。
８．  １から７のいずれかに記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されている場合には、当該第２搬入情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該第２搬入情報に含まれる当該素材情報に関連付けられた情報を前記素材管理データベースに登録するＣＭ素材在局管理システム。
９．  １から８のいずれかに記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記第２搬入情報を取得すると、前記コードを含む前記素材情報が前記素材管理データベースに既に登録されているか否かを確認し、登録されていない場合には、当該第２搬入情報に含まれる前記素材情報に、各放送局への搬入状態を関連付けて前記素材管理データベースに新たに登録するＣＭ素材在局管理システム。
１０．  １から９のいずれかに記載のＣＭ素材在局管理システムにおいて、
前記入稿サーバは、前記ＣＭ素材の前記素材情報、及び、当該素材情報で特定される前記ＣＭ素材が前記放送局に搬入されることを示す情報を含む営業情報を、当該ＣＭ素材が前記放送局に搬入される前に取得する営業情報取得手段をさらに有し、
搬入情報送信手段は、前記営業情報取得手段が取得した前記営業情報に含まれる前記素材情報で特定される前記ＣＭ素材が、当該放送局に搬入されることを示す搬入予告情報を、前記配信データ管理装置に送信し、
前記配信データ管理装置は、前記搬入予告情報を取得する搬入予告情報取得手段をさらに有し、
前記更新手段は、前記搬入予告情報に基づいて、前記素材管理データベースを更新するＣＭ素材在局管理システム。
１１．  １０に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されている場合には、当該搬入予告情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該搬入予告情報に基づいて更新するＣＭ素材在局管理システム。
１２．  １０または１１に記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されている場合には、当該搬入予告情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該搬入予告情報に含まれる当該素材情報に関連付けられた情報を前記素材管理データベースに登録するＣＭ素材在局管理システム。
１３．  １０から１２のいずれかに記載のＣＭ素材在局管理システムにおいて、
前記素材情報には、各ＣＭ素材に付されたコードが含まれるとともに、当該コードがユニーク性を保証されている場合には、その旨を示すユニーク保証情報が含まれ、
前記更新手段は、前記搬入予告情報を取得すると、前記コードを含む前記素材情報が前記素材管理データベースに既に登録されているか否かを確認し、登録されていない場合には、当該搬入予告情報に含まれる前記素材情報に、各放送局への搬入状態を関連付けて前記素材管理データベースに新たに登録するＣＭ素材在局管理システム。
１４．  １３に記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されている場合には、当該第１搬入情報または当該第２搬入情報に含まれる前記素材情報にユニーク性を保証することを示す前記ユニーク保証情報が含まれるか否か確認し、含まれる場合には、既に素材管理データベースに登録されている当該素材情報に関連付けられた情報を、当該第１搬入情報または当該第２搬入情報に基づいて更新するＣＭ素材在局管理システム。
１５．  １３または１４に記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されている場合には、当該第１搬入情報または当該第２搬入情報に含まれる前記素材情報にユニーク性を保証することを示す前記ユニーク保証情報が含まれるか否か確認し、含まれない場合には、既に素材管理データベースに登録されている当該素材情報に関連付けられた情報と識別可能に、当該第１搬入情報または当該第２搬入情報に含まれる当該素材情報に関連付けられた情報を前記素材管理データベースに登録するＣＭ素材在局管理システム。
１６．  １３から１５のいずれかに記載のＣＭ素材在局管理システムにおいて、
前記更新手段は、前記第１搬入情報または前記第２搬入情報を取得すると、前記コードを含む前記素材情報が前記素材管理データベースに既に登録されているか否かを確認し、登録されていない場合には、当該第１搬入情報または当該第２搬入情報に含まれる前記素材情報に、各放送局への搬入状態を関連付けて前記素材管理データベースに新たに登録するＣＭ素材在局管理システム。
１７．  １から１６のいずれかに記載の配信データ管理装置。
１８．  １から１６のいずれかに記載の入稿サーバ。
１９．  ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
前記ＣＭ素材各々を識別するための素材情報各々に、各放送局への前記ＣＭ素材の搬入状態を示す情報を関連付けて管理する素材管理データベースを記憶する素材管理データベース記憶手段、
通信網を伝達媒体として、前記放送局各々に備えられる入稿サーバ各々に前記ＣＭ素材を送信するＣＭ素材送信手段、
前記ＣＭ素材送信手段が前記ＣＭ素材を前記入稿サーバに送信すると、前記ＣＭ素材送信手段から、送信した前記ＣＭ素材の前記素材情報、及び、送信先の前記放送局を識別するための情報を含む第１搬入情報を取得する第１搬入情報取得手段、
可搬型の記憶媒体で前記ＣＭ素材が前記放送局へ搬入された場合、当該放送局の前記入稿サーバから、搬入された前記ＣＭ素材の前記素材情報、及び、当該ＣＭ素材が当該放送局に搬入されたことを示す情報を含む第２搬入情報を取得する第２搬入情報取得手段、
前記第１搬入情報、および、前記第２搬入情報に基づいて、前記素材管理データベースを更新する更新手段、
として機能させるためのプログラム。
２０．  ＣＭのコンテンツデータであって、通信網、または、可搬型の記憶媒体を伝達媒体として、複数の放送局各々に搬入されるＣＭ素材が、前記放送局各々に搬入されているか否かを確認するために、
コンピュータを、
可搬型の記憶媒体で前記ＣＭ素材が前記放送局へ搬入された場合、搬入された前記ＣＭ素材の前記素材情報の入力を受付ける搬入情報入力受付手段、
前記搬入情報入力受付手段が入力を受付けた前記素材情報、及び、当該ＣＭ素材が当該放送局に搬入されたことを示す情報を含む第２搬入情報を、前記ＣＭ素材各々を識別するための素材情報各々に、各放送局への前記ＣＭ素材の搬入状態を示す情報を関連付けて管理する素材管理データベースを記憶する配信データ管理装置に送信する搬入情報送信手段、
として機能させるためのプログラム。
【符号の説明】
【０１６６】
１      放送局
２      放送局
３      広告会社（制作担当）
４      広告会社（制作担当）
５      広告会社（扱い担当）
１０    配信データ管理装置
１１    素材管理データベース記憶部
１２    管理装置側ＣＭ素材受信部
１３    管理装置側ＣＭ素材記憶部
１４    ＣＭ素材送信部
１５    第１搬入情報取得部
１６    更新部
１７    第２搬入情報取得部
１８    返却情報取得部
１９    削除情報取得部
２０    入稿サーバ
２０Ａ  入稿サーバ
２０Ｂ  入稿サーバ
２１    ＣＭ素材受信部
２２    ＣＭ素材記憶部
２３    搬入情報入力受付部
２４    ファイルベース媒体情報受付部
２５    テープ媒体情報受付部
２６    搬入情報送信部
２７    ＣＭ素材削除部
２８    ＣＭ素材削除情報取得部
２９    営業情報取得部
３０    営業放送システム
３０Ａ  営業放送システム
３０Ｂ  営業放送システム
４０    搬入予告情報取得部
【図１】
0005999756.tif 000002
【図２】
0005999756.tif 000003
【図３】
0005999756.tif 000004
【図４】
0005999756.tif 000005
【図５】
0005999756.tif 000006
【図６】
0005999756.tif 000007
【図７】
0005999756.tif 000008
【図８】
0005999756.tif 000009
【図９】
0005999756.tif 000010
【図１０】
0005999756.tif 000011
【図１１】
0005999756.tif 000012
【図１２】
0005999756.tif 000013
【図１３】
0005999756.tif 000014
【図１４】
0005999756.tif 000015
【図１５】
0005999756.tif 000016
【図１６】
0005999756.tif 000017
【図１７】
0005999756.tif 000018
【図１８】
0005999756.tif 000019
【図１９】
0005999756.tif 000020
【図２０】
0005999756.tif 000021
【図２１】
0005999756.tif 000022